(57)【要約】【課題】化粧パネルと天井開口との間の隙間の管理が容易で、室内機の運転時の騒音の低減化が図れ、同時に化粧パネル下面を天井材下面と面一にできるようにする。【解決手段】グリッドシステム天井の天井開口１４に埋め込まれる室内機の矩形状の化粧パネル２を、天井材と面一となるようにその下面をフラットに形成するとともに、その少なくとも２角に、それぞれ弾性を有する位置決め部材１５を設け、この位置決め部材は、平面的にみて化粧パネル２の輪郭からはみ出して、これらはみ出し部が天井材を取り外した枡目のコーナー部の内面に当接可能に構成し、位置決め部材１５によって天井開口１４内で化粧パネルの位置を規定できるようにする。【選択図】図６
2010286122.tif 000002
【特許請求の範囲】
【請求項１】
グリッドシステム天井に、一部の天井材を取り外した枡目に臨むように室内機が埋め込まれて設置される天井埋込型空気調和機であって、
前記室内機は、
下部が開口する筐体と、
前記筐体の内部中央に配置された送風機と、
前記送風機を囲むように配置されて前記筐体内に収容された熱交換器と、
前記送風機の下方に設置された吸込口と、
前記筐体の下部に連結され、中央部に吸込グリルを有するとともに、該吸込グリルを囲むように吹出口を配置形成してなる矩形状の化粧パネルとを備え、
前記化粧パネルは、前記天井材と面一となるようにその下面がフラットに形成されているとともに、その矩形状の少なくとも２角にそれぞれ弾性を有する位置決め部材が設られており、
前記位置決め部材は、平面的にみて前記化粧パネルの輪郭からはみ出して、これらはみ出し部が前記天井材を取り外した枡目のコーナー部の内面に当接可能に構成されていることを特徴とする天井埋込型空気調和機。
【請求項２】
前記位置決め部材を、前記化粧パネルの矩形状の４角にそれぞれ設置するとともに、これら位置決め部材間の化粧パネル外周面部に、それぞれ断熱性を有するシール部材を設けたことを特徴とする請求項１記載の天井埋込型空気調和機。
【請求項３】
前記位置決め部材は、前記化粧パネルの角部上面に重畳されて単一のねじにより該化粧パネルに止着されているとともに、当該位置決め部材の複数箇所に穿設された孔より前記化粧パネルとの重畳部に流し込まれる接着剤により補助的に接合されていることを特徴とする請求項１又は請求項２記載の天井埋込型空気調和機。
【発明の詳細な説明】
【技術分野】
【０００１】
本発明は、グリッドシステム天井に室内機が埋め込まれて設置される天井埋込型空気調和機に関する。
【背景技術】
【０００２】
近年、オフィスビルの天井にグリッドシステム天井を用いる提案が増えている。グリッドシステム天井は、複数の保持バーを格子状に組み込むことで形成される６００ミリ角の複数の正方形状の枡目にそれぞれ天井材が嵌め込まれてなる天井であり、間仕切り位置を自由に設定できることや低コストであるなどのメリットがある。
【０００３】
グリッドシステム天井で用いられる空気調和機としては、グリッドシステム天井の一部の天井材を取り外した枡目（以下、これを「天井開口」という）に臨むように室内機が埋め込まれて設置される天井埋込型空気調和機がある。例えば、室内機を、内部に送風機と熱交換器を収容し下部が開口するとともに、開口周りに天井開口より大きなフランジを形成した筐体と、吸込グリルと吹出口を有し筐体下部に連結される化粧パネルとから構成したものがある（例えば、特許文献１参照）。
この室内機のグリッドシステム天井への取付は、筐体を室内側より天井開口内に挿入することで行われる。そして筐体と天井開口との間の隙間や、化粧パネルと天井材下面との間の隙間は、フランジ側にシールパッキンを設けて天井材下面に押し付けることで密閉している。
【０００４】
このようなものにおいては、室内機の筐体の開口周りと化粧パネルが、グリッドシステム天井の天井開口よりも大きく、さらにシールパッキンを天井材下面に押し付ける構成をとっているため、天井材下面よりも下方（室内側）へ突出せざるを得ず、化粧パネル下面を天井材下面と面一とすることができなかった。
【０００５】
そこで、化粧パネルを天井開口内に嵌入可能に形成して、化粧パネルそのもので直接天井開口を塞ぐとともに、化粧パネル下面をフラットに形成して天井材下面と面一にできるようにしたものが提案されている（例えば、特許文献２参照）。
【先行技術文献】
【特許文献】
【０００６】
【特許文献１】実開昭６１−２３６２７号公報（図２，図３）
【特許文献２】特開２００５−２８２９５６号公報（図１０）
【発明の概要】
【発明が解決しようとする課題】
【０００７】
しかしながら、化粧パネルを天井開口内に嵌入可能に形成して、化粧パネルそのもので直接天井開口を塞ぐようにしたものにあっては、天井開口内での化粧パネルの位置決めや、化粧パネルと天井開口との間の隙間を厳しく管理することはできず、化粧パネル周りに天井裏に通ずる大きな隙間が発生するのを避けられなかった。また、化粧パネルと天井開口との間の隙間を厳しく管理すると、室内機の運転時に、送風機等より発生する振動が、天井開口を形成する保持バーに伝わり、騒音が発生するという新たな問題が発生する。
【０００８】
本発明の技術的課題は、化粧パネルと天井開口との間の隙間の管理が容易で、室内機の運転時の騒音の低減化が図れ、同時に化粧パネル下面を天井材下面と面一にできるようにすることにある。
【課題を解決するための手段】
【０００９】
本発明に係る天井埋込型空気調和機は、下記の構成からなるものである。すなわち、グリッドシステム天井に、一部の天井材を取り外した枡目に臨むように室内機が埋め込まれて設置される天井埋込型空気調和機であって、室内機は、下部が開口する筐体と、筐体の内部中央に配置された送風機と、送風機を囲むように配置されて筐体内に収容された熱交換器と、送風機の下方に設置された吸込口と、筐体の下部に連結され、中央部に吸込グリルを有するとともに、吸込グリルを囲むように吹出口を配置形成してなる矩形状の化粧パネルとを備え、化粧パネルは、前記天井材と面一となるようにその下面がフラットに形成されているとともに、その矩形状の少なくとも２角にそれぞれ弾性を有する位置決め部材が設られており、位置決め部材は、平面的にみて化粧パネルの輪郭からはみ出して、これらはみ出し部が天井材を取り外した枡目のコーナー部の内面に当接可能に構成されているものである。
【発明の効果】
【００１０】
本発明に係る天井埋込型空気調和機においては、化粧パネルの矩形状の少なくとも２角にそれぞれ弾性を有する位置決め部材を設け、この位置決め部材は、平面的にみて化粧パネルの輪郭からはみ出して、これらはみ出し部が天井材を取り外した枡目のコーナー部の内面に当接可能に構成しているので、化粧パネル角部に設けた位置決め部材によって天井開口内での化粧パネルの位置が規定される。このため、化粧パネルと天井開口との間の隙間の管理が容易となる。
さらに、天井材を取り外した枡目と化粧パネルとの直接接触を防止でき、室内機の運転時の騒音の低減化が図れ、同時に化粧パネル下面を天井材下面と面一にすることができる。このため、天井全体をフラットに構成することができる。
【図面の簡単な説明】
【００１１】
【図１】本発明の一実施の形態に係る天井埋込型空気調和機を下方より見た外観を示す斜視図である。
【図２】本発明の一実施の形態に係る天井埋込型空気調和機の設置状態下での内部構成を示す縦断面図である。
【図３】本発明の一実施の形態に係る天井埋込型空気調和機の設置状態下での化粧パネルを示す下面図である。
【図４】図３の要部拡大図である。
【図５】本発明の一実施の形態に係る天井埋込型空気調和機の位置決め部材の構成を示す斜視図である。
【図６】本発明の一実施の形態に係る天井埋込型空気調和機の天井裏側からみた外観を示す斜視図である。
【発明を実施するための形態】
【００１２】
図１は本発明の一実施の形態に係る天井埋込型空気調和機を下方より見た外観を示す斜視図、図２はその設置状態下での内部構成を示す縦断面図、図３はその設置状態下での化粧パネルを示す下面図、図４は図３の要部拡大図、図５はその位置決め部材の構成を示す斜視図、図６はその天井裏側からみた外観を示す斜視図である。
【００１３】
グリッドシステム天井は、図１乃至図３のように複数の保持バー１２を格子状に組み込むことで形成される６００ミリ角の複数の正方形状の枡目にそれぞれ天井材１３が嵌め込まれてなる天井であり、保持バー１２が天井に吊り具１１を介して吊下支持されることで、天井と天井材１３との間に天井裏空間が形成されるようになっている。
【００１４】
本実施の形態の天井埋込型空気調和機は、一部の天井材１３を取り外した枡目（天井開口）１４に臨むように室内機が天井裏に埋め込まれ、ブラケット２０（図６）を介して吊り具１１により天井に吊下支持されている。ブラケット２０は、基本的にコ字状を呈し、室内機の筐体１とその下部に配置される化粧パネル２とにコ字状の２片が当接してそれぞれにねじにより止着されているとともに、コ字状の残り１片に係止穴２０ａが形成され、係止穴２０ａに吊り具１１側のフック（図示せず）が係合することで、天井に吊下支持されるようになっている。
【００１５】
室内機は、その筐体１の下方に、矩形状の化粧パネル２が取付けられ、部屋１７に面している。化粧パネル２は、天井材１３と面一となるようにその下面がフラットに形成され、その中央部には、筐体吸込口１ａへの空気の吸込口でありかつ部屋１７の空気中に浮遊する埃を除去するフィルター７が取付けられた略四角形状の吸込グリル２ａが形成されているとともに、この吸込グリル２ａを囲むように、その４辺部に平行する４つの直線状のパネル吹出口２ｂが形成されている。
【００１６】
筐体１の内部には、図２のように送風機すなわちターボファン３、ベルマウス５、及びターボファン３を回転駆動するモーター４が設置され、さらにターボファン３の吹出し流路と直行するように熱交換器６が配置されている。そして、熱交換器６を通過した空気が流れる下流側から筐体天板１ｂ、筐体側板１ｃ、ドレンパン８に囲まれて化粧パネル２のパネル吹出口２ｂへ連通する本体吹出口９ａまでが本体吹出風路１０として形成されている。
【００１７】
化粧パネル２の矩形状の４角には、それぞれ当該化粧パネル２の輪郭から僅かにはみ出して、これらはみ出し部が天井開口１４の内面、つまり保持バー１２の内面に当接可能な弾性を有する位置決め部材１５が設けられている。
【００１８】
これを更に詳述すると、位置決め部材１５は、図５及び図６のように化粧パネル２の角部の上面に重畳されて、その中央部に形成したばか穴１５ｂに挿入されて化粧パネル２の図示しないねじ穴に螺合する単一のねじ２１により、重畳位置を微調整可能に止着されているとともに、その複数箇所に穿設された小孔１５ａより化粧パネル２との重畳部に流し込まれる接着剤により補助的に接合されるようになっている。つまり、位置決め部材１５は、取付位置を微調整可能とすることで、化粧パネル２の輪郭からのはみ出し量を調整できるようにして、化粧パネル２と天井開口１４の内面との間の隙間の管理を容易にできるようにするとともに、ねじ２１と接着剤による二重の固定手段によって、調整後の位置に強固に固定できるようにしている。
この位置決め部材１５により、化粧パネル２と天井開口１４の内面との間の隙間を小さくしながら、天井開口を形成する保持バー１２と化粧パネル２とが直接接触するのを防止でき、ターボファン３等より発生する振動が保持バー１２に伝わるのを防ぐことができて、室内機の運転時の騒音の低減化が図れる。また同時に、化粧パネル２を天井開口１４内に挿入できるので、化粧パネル２の下面をフラットに形成することで、化粧パネル２の下面を天井材１３の下面と面一にすることができる。
【００１９】
また、位置決め部材１５間の化粧パネル２外周面部に、それぞれ断熱性を有するシール部材１６が設けられていて、化粧パネル２と天井開口１４の内面との間の僅かな隙間も密閉できるようになっている。
【００２０】
このように、本実施の形態の天井埋込型空気調和機においては、化粧パネル２の矩形状の４角部に、それぞれ化粧パネル２の輪郭からはみ出して、これらはみ出し部が天井開口１４のコーナー部の内面に当接可能な弾性を有する位置決め部材１５を設けたので、天井開口１４内での化粧パネル２の位置を規定することができる。このため、化粧パネル２と天井開口１４との間の隙間の管理が容易となる。
【００２１】
さらに、天井開口１４を形成する保持バー１２と化粧パネル２との直接接触を防止でき、室内機の運転時の騒音の低減化が図れ、同時に化粧パネル２の下面を天井材１３下面と面一にすることができる。このため、天井全体をフラットに構成することができる。
【００２２】
なお、ここでは位置決め部材１５を化粧パネル２の矩形状の４角に設けたものを例に挙げて説明したが、位置決め部材１５は化粧パネル２の矩形状の少なくとも２角（例えば対角位置にある２箇所）に設ければ十分であり、このような場合でも所期の目的を達成することができることは言うまでもない。
【符号の説明】
【００２３】
１  筐体、１ａ  吸込口（筐体吸込口）、２  化粧パネル、２ａ  吸込グリル、２ｂ  吹出口（パネル吹出口）、３  ターボファン（送風機）、６  熱交換器、１２  保持バー、１３  天井材、１４  天井材を取り外した枡目（天井開口）、１５  位置決め部材、１５ａ  孔（小孔）、１６  シール部材、２１  単一のねじ。
【図１】
2010286122.tif 000003
【図２】
2010286122.tif 000004
【図３】
2010286122.tif 000005
【図４】
2010286122.tif 000006
【図５】
2010286122.tif 000007
【図６】
2010286122.tif 000008